(57)【要約】【課題】アパレル分野に適用されるコーディネート支援方法において、スケジュールに適したコーディネート案を提示させ、相互に類似するコーディネート案が並ぶ事態を避ける。【解決手段】服飾データの登録が受け付けられ、複数個の服飾データが組み合わされる形で、各種のスケジュールに適した複数のコーディネート案が作成されて登録される。服飾属性条件に基づき、スケジュールに適したコーディネート案が抽出され、複数の日程に対応して並ぶ。任意の連続２日間において、コーディネート案が相互に類似すると判断された場合、これらが相互に類似しないように並べ替えられる。所定の期間内に同一のスケジュールが併存するとき、これらのスケジュールに対応して並べられた複数のコーディネート案が相互に類似すると判断された場合、これらが相互に類似しないように並べ替えられる。【選択図】図２
2006012050.tif 000002
【特許請求の範囲】
【請求項１】
アイテムデータの登録が受け付けられるデータ受付工程と、
前記データ受付工程で受け付けられた複数個のアイテムデータが組み合わされる形で、各種のスケジュールに適した複数のコーディネート案が作成されてコーディネートデータベースに登録されるコーディネート登録工程と、
スケジュールの入力が受け付けられるスケジュール受付工程と、
前記スケジュール受付工程で受け付けられたスケジュールに適したコーディネート案が前記コーディネートデータベースから抽出されるコーディネート抽出工程と、
前記コーディネート抽出工程で抽出されたコーディネート案が複数の日程に対応させて並べられるコーディネート配列工程と、
任意の連続２日間において、前記コーディネート配列工程で並べられたコーディネート案が類比判断される第１の対比工程と、
前記第１の対比工程で相互に類似すると判断された２つのコーディネート案について、いずれか一方または双方が前記コーディネートデータベース内のコーディネート案と差し替えられることにより、これらのコーディネート案が相互に類似しないように並べ替えられる第１の並べ替え工程と、
所定の期間内に同一のスケジュールが併存するとき、これらのスケジュールに対応して並べられた複数のコーディネート案が類比判断される第２の対比工程と、
前記第２の対比工程で相互に類似すると判断された２つのコーディネート案について、いずれか一方または双方が前記コーディネートデータベース内のコーディネート案と差し替えられることにより、これらのコーディネート案が相互に類似しないように並べ替えられる第２の並べ替え工程と
を有することを特徴とするコーディネート支援方法。
【請求項２】
前記スケジュール受付工程において、各スケジュール間の優先順位の入力が受け付けられる優先順位受付工程を有し、
前記優先順位受付工程で受け付けられた優先順位に基づき、前記第１の並べ替え工程でのコーディネート案の並べ替え動作が実行されることを特徴とする請求項１に記載のコーディネート支援方法。
【請求項３】
複数の利用者に係るコーディネート案が各利用者に閲覧されうるようにしたことを特徴とする請求項１又は２に記載のコーディネート支援方法。
【請求項４】
前記アイテムデータは、服飾データであり、
前記スケジュールは、行事スケジュールであることを特徴とする請求項１乃至３のいずれかに記載のコーディネート支援方法。
【請求項５】
前記アイテムデータは、食材データであり、
前記スケジュールは、献立スケジュールであることを特徴とする請求項１乃至３のいずれかに記載のコーディネート支援方法。
【請求項６】
アイテムデータの登録を受け付けるデータ受付手段と、
前記データ受付手段が受け付けた複数個のアイテムデータを組み合わせる形で、各種のスケジュールに適した複数のコーディネート案を作成してコーディネートデータベースに登録するコーディネート登録手段と、
スケジュールの入力を受け付けるスケジュール受付手段と、
前記スケジュール受付手段が受け付けたスケジュールに適したコーディネート案を前記コーディネートデータベースから抽出するコーディネート抽出手段と、
前記コーディネート抽出手段が抽出したコーディネート案を複数の日程に対応させて並べるコーディネート配列手段と、
任意の連続２日間において、前記コーディネート配列手段が並べたコーディネート案を類比判断する第１の対比手段と、
前記第１の対比手段が相互に類似すると判断した２つのコーディネート案について、いずれか一方または双方を前記コーディネートデータベース内のコーディネート案と差し替えることにより、これらのコーディネート案が相互に類似しないように並べ替える第１の並べ替え手段と、
所定の期間内に同一のスケジュールが併存するとき、これらのスケジュールに対応して並べられた複数のコーディネート案を類比判断する第２の対比手段と、
前記第２の対比手段が相互に類似すると判断した２つのコーディネート案について、いずれか一方または双方を前記コーディネートデータベース内のコーディネート案と差し替えることにより、これらのコーディネート案が相互に類似しないように並べ替える第２の並べ替え手段と
を有することを特徴とするコーディネート支援システム。
【発明の詳細な説明】
【技術分野】
【０００１】
本発明は、アパレル分野や食品分野など各種の分野に適用するに好適な、コーディネート支援方法およびコーディネート支援システムに関するものである。
【背景技術】
【０００２】
一般大衆が服飾コーディネートを行う方法としては、利用者が所有する服飾品（被服、履き物、帽子、アクセサリーなど）をデジタルデータ化してWeb上に登録しておき、それを組み合わせて利用者に提示していた（例えば、特許文献１参照）。
【特許文献１】特開２００２−３３９１３５号公報（段落〔０００４〕の欄）
【発明の開示】
【発明が解決しようとする課題】
【０００３】
しかし、これでは次のような不都合があった。
【０００４】
第１に、仕事や遊興の行事スケジュールとは無関係にコーディネート案が決まってしまうため、その行事スケジュールに適さないコーディネート案が提示される恐れがある。
【０００５】
第２に、基本的に１回限りの服飾コーディネートとなるので、数日分のコーディネート案を提示させたときに、相互に類似するコーディネート案が２日以上にわたって並ぶ危険性がある。
【０００６】
本発明は、このような事情に鑑み、スケジュールに適したコーディネート案が提示されるようにするとともに、相互に類似するコーディネート案が２日以上にわたって並ぶ事態を回避することが可能な、コーディネート支援方法およびコーディネート支援システムを提供することを目的とする。
【課題を解決するための手段】
【０００７】
まず、請求項１に係る発明は、アイテムデータの登録が受け付けられるデータ受付工程と、前記データ受付工程で受け付けられた複数個のアイテムデータが組み合わされる形で、各種のスケジュールに適した複数のコーディネート案が作成されてコーディネートデータベースに登録されるコーディネート登録工程と、スケジュールの入力が受け付けられるスケジュール受付工程と、前記スケジュール受付工程で受け付けられたスケジュールに適したコーディネート案が前記コーディネートデータベースから抽出されるコーディネート抽出工程と、前記コーディネート抽出工程で抽出されたコーディネート案が複数の日程に対応させて並べられるコーディネート配列工程と、任意の連続２日間において、前記コーディネート配列工程で並べられたコーディネート案が類比判断される第１の対比工程と、前記第１の対比工程で相互に類似すると判断された２つのコーディネート案について、いずれか一方または双方が前記コーディネートデータベース内のコーディネート案と差し替えられることにより、これらのコーディネート案が相互に類似しないように並べ替えられる第１の並べ替え工程と、所定の期間内に同一のスケジュールが併存するとき、これらのスケジュールに対応して並べられた複数のコーディネート案が類比判断される第２の対比工程と、前記第２の対比工程で相互に類似すると判断された２つのコーディネート案について、いずれか一方または双方が前記コーディネートデータベース内のコーディネート案と差し替えられることにより、これらのコーディネート案が相互に類似しないように並べ替えられる第２の並べ替え工程とを有することを特徴とする。
また、請求項２に係る発明は、前記スケジュール受付工程において、各スケジュール間の優先順位の入力が受け付けられる優先順位受付工程を有し、前記優先順位受付工程で受け付けられた優先順位に基づき、前記第１の並べ替え工程でのコーディネート案の並べ替え動作が実行されることを特徴とする。
また、請求項３に係る発明は、複数の利用者に係るコーディネート案が各利用者に閲覧されうるようにしたことを特徴とする。
また、請求項４に係る発明は、前記アイテムデータは、服飾データであり、前記スケジュールは、行事スケジュールであることを特徴とする。
また、請求項５に係る発明は、前記アイテムデータは、食材データであり、前記スケジュールは、献立スケジュールであることを特徴とする。
また、請求項６に係る発明は、アイテムデータの登録を受け付けるデータ受付手段と、前記データ受付手段が受け付けた複数個のアイテムデータを組み合わせる形で、各種のスケジュールに適した複数のコーディネート案を作成してコーディネートデータベースに登録するコーディネート登録手段と、スケジュールの入力を受け付けるスケジュール受付手段と、前記スケジュール受付手段が受け付けたスケジュールに適したコーディネート案を前記コーディネートデータベースから抽出するコーディネート抽出手段と、前記コーディネート抽出手段が抽出したコーディネート案を複数の日程に対応させて並べるコーディネート配列手段と、任意の連続２日間において、前記コーディネート配列手段が並べたコーディネート案を類比判断する第１の対比手段と、前記第１の対比手段が相互に類似すると判断した２つのコーディネート案について、いずれか一方または双方を前記コーディネートデータベース内のコーディネート案と差し替えることにより、これらのコーディネート案が相互に類似しないように並べ替える第１の並べ替え手段と、所定の期間内に同一のスケジュールが併存するとき、これらのスケジュールに対応して並べられた複数のコーディネート案を類比判断する第２の対比手段と、前記第２の対比手段が相互に類似すると判断した２つのコーディネート案について、いずれか一方または双方を前記コーディネートデータベース内のコーディネート案と差し替えることにより、これらのコーディネート案が相互に類似しないように並べ替える第２の並べ替え手段とを有することを特徴とする。
【０００８】
なお、請求項１〜５において、各工程は必ずしも１つの端末で行われる必要はなく、別個の端末で行われるようにしても構わない。
また、請求項６において、各手段は必ずしも１つの端末にある必要はなく、別個の端末にあってもよい。
また、本明細書において、コーディネート案の「類似」の概念には、狭義の類似のみならず同一も含まれる。ここで、コーディネート案の同一とは、コーディネート案を構成する複数個のアイテムデータがすべて一致する場合をいい、コーディネート案の類似（狭義）とは、コーディネート案を構成する複数個のアイテムデータのうち１個だけが相違し、その他のアイテムデータが一致する場合をいう。
【発明の効果】
【０００９】
本発明によれば、利用者が複数個のアイテムデータを登録しておくと、これらのアイテムデータが組み合わされたコーディネート案が各種のスケジュールに適した形で登録されることから、スケジュールに適したコーディネート案が提示されるようにすることができる。また、連続２日間でコーディネート案が相互に類似するとき、それらのコーディネート案が相互に類似しないように並べ替えられることから、相互に類似するコーディネート案が２日以上にわたって並ぶ事態を回避することができる。さらに、所定の期間内に同一のスケジュールが併存するとき、これらのスケジュールに対応して並べられた複数のコーディネート案が相互に類似しないように並べ替えられることから、バラエティーに富んだコーディネートを楽しむことができる。
【００１０】
また、利用者がスケジュール間の優先順位を入力すると、その優先順位に基づいてコーディネート案が並べ替えられるため、有益性の高いコーディネートを楽しむことができる。
【００１１】
さらに、複数の利用者に係るコーディネート案が各利用者に閲覧されうるようにすると、各利用者が他人のコーディネート案を参照することが可能となるので、幅広い観点からコーディネートを楽しむことができる。
【発明を実施するための最良の形態】
【００１２】
以下、本発明の実施形態を図面に基づいて説明する。
図１は本発明に係るコーディネート支援システムの一実施形態を示す概略構成図である。
【００１３】
このコーディネート支援システム１は、服飾コーディネートを行うときに利用されるものであり、図１に示すように、中央演算処理装置（ＣＰＵ）６を有している。中央演算処理装置６には、バス線８を介して、キーボードなどの入力手段５、液晶ディスプレイなどの表示装置３、読取り書込み記憶装置（ＲＡＭ）７、画像処理部９および磁気ディスクなどの記憶装置２が接続されている。記憶装置２内には、コーディネート支援プログラム１０、持ち服データベース１１、画像データベース１２、コーディネートデータベース１３が格納されている。
【００１４】
また、コーディネート支援システム１は、インターネット４を介して、天気予報データベース１５に接続されている。
【００１５】
コーディネート支援システム１は以上のような構成を有するので、このコーディネート支援システム１を用いて服飾コーディネートの支援動作を実行させる際には、利用者は、入力手段５を介してその旨を指令する。すると、中央演算処理装置６は、コーディネート支援プログラム１０を記憶装置２から読み出し、以下に述べるとおり、このコーディネート支援プログラム１０に基づく処理を実行する。
【００１６】
すなわち、まず中央演算処理装置６は、利用者が所有する複数個の服飾品の服飾データを入力するよう促すメッセージを表示装置３に表示する。このメッセージを見た利用者は、これらの服飾データを入力手段５を介して入力する。これを受けて中央演算処理装置６は、データ受付工程に移行し、利用者が入力した服飾データを持ち服データベース１１に格納して登録する（図２に示すコーディネート支援プログラム１０のステップＳ１）。
【００１７】
次に、中央演算処理装置６は、コーディネート登録工程に移行し、持ち服データベース１１に格納された複数個の服飾データを適宜組み合わせて、各種の行事スケジュール（例えば、入社式、会議、デートなど）に適した複数のコーディネート案を作成し、すべてのコーディネート案をコーディネートデータベース１３に登録する（図２に示すコーディネート支援プログラム１０のステップＳ２）。
【００１８】
例えば、図３に示すように、行事スケジュールＡ（例えば、入社式）に対して、６０のコーディネート案Ａ１、Ａ２、Ａ３、…、Ａ６０が作成され、行事スケジュールＢ（例えば、会議）に対して、４８のコーディネート案Ｂ１、Ｂ２、…、Ｂ４８が作成される。以降同様にして、残りの行事スケジュールに対しても、それぞれ複数（例えば、３０〜２００程度）のコーディネート案が作成される。なお、コーディネート案の数は、服飾データ定の種類を適宜掛け合わせて決定される。例えば、ジャケット５種類、シャツ６種類、パンツ３種類、スカート４種類なら、５×６×３＋５×６×４＝２１０となり、この中に不適切なコーディネート案が１３あるとすると、これらを削除し、結局、２１０−１３＝１９７により、１９７のコーディネート案が作成されることになる。
【００１９】
次に、中央演算処理装置６は、利用者が所望する服飾属性条件（例えば、色、素材、シルエット、柄デザインなど）を入力するよう促すメッセージを表示装置３に表示する。このメッセージを見た利用者は、この服飾属性条件を入力手段５を介して入力する。これを受けて中央演算処理装置６は、条件受付工程に移行し、利用者が入力した服飾属性条件を読取り書込み記憶装置７に格納する（図２に示すコーディネート支援プログラム１０のステップＳ３）。
【００２０】
次に、中央演算処理装置６は、利用者が予定している複数の行事スケジュール（例えば、入社式、会議、デートなど）を入力するよう促すメッセージを表示装置３に表示する。このメッセージを見た利用者は、これらの行事スケジュールを入力手段５を介して入力する。これを受けて中央演算処理装置６は、スケジュール受付工程に移行し、利用者が入力した複数の行事スケジュールを読取り書込み記憶装置７に格納する（図２に示すコーディネート支援プログラム１０のステップＳ４）。
【００２１】
次に、中央演算処理装置６は、先ほど利用者が入力した複数の行事スケジュール間の優先順位（例えば、会議が最優先で、これに入社式、デートが順に続くという優先順位など）を入力するよう促すメッセージを表示装置３に表示する。このメッセージを見た利用者は、この行事スケジュール間の優先順位を入力手段５を介して入力する。これを受けて中央演算処理装置６は、優先順位受付工程に移行し、利用者が入力した行事スケジュール間の優先順位を読取り書込み記憶装置７に格納する（図２に示すコーディネート支援プログラム１０のステップＳ５）。
【００２２】
次に、中央演算処理装置６は、コーディネート抽出工程に移行し、読取り書込み記憶装置７に格納された服飾属性条件および行事スケジュール間の優先順位に基づき、読取り書込み記憶装置７に格納された行事スケジュールに適した複数のコーディネート案をコーディネートデータベース１３から検索して抽出する（図２に示すコーディネート支援プログラム１０のステップＳ６）。
【００２３】
このとき、中央演算処理装置６は、複数の日程の天気予報データ（例えば、気温、湿度などのデータ）を天気予報データベース１５から読み出し、これらの天気予報データを加味してコーディネート案の抽出を行う。
【００２４】
また、中央演算処理装置６は、各コーディネート案にＩＤ番号を付与する。例えば、図３に示すように、行事スケジュールＡに対するコーディネート案Ａ１、Ａ２、Ａ３、…、Ａ６０にそれぞれＩＤ番号「１０１」「１０２」「１０３」…「１６０」を付与し、行事スケジュールＢに対するコーディネート案Ｂ１、Ｂ２、…、Ｂ４８にそれぞれＩＤ番号「２０１」「２０２」…「２４８」を付与する。そして、このＩＤ番号を使って、毎回の検索の履歴を残す。すると、行事スケジュールが指定されたときに、過去の同じ行事スケジュールのコーディネート案を検索して比較することができ、素早い検索が可能となる。
【００２５】
次に、中央演算処理装置６は、コーディネート配列工程に移行し、こうして抽出されたコーディネート案を複数の日程（例えば、４月１日から７日までの１週間）に対応させて並べる（図２に示すコーディネート支援プログラム１０のステップＳ７）。
【００２６】
例えば、図４に示すように、４月１日には、行事スケジュールとして「入社式」が入っているため、それに対応したコーディネート案Ａ１、Ａ２、Ａ３、…、Ａ６０のうちコーディネート案Ａ３が抽出され、４月２日には、行事スケジュールとして「会議」が入っているため、それに対応したコーディネート案Ｂ１、Ｂ２、Ｂ３、…、Ｂ４８のうちコーディネート案Ｂ１が抽出される。また、４月３日には、行事スケジュールとして「デスクワーク」が入っているため、それに対応したコーディネート案Ｃ１、Ｃ２、Ｃ３、…のうちコーディネート案Ｃ２が抽出され、４月４日には、行事スケジュールとして「デスクワーク」が入っているため、それに対応したコーディネート案Ｃ１、Ｃ２、Ｃ３、…のうちコーディネート案Ｃ３が抽出される。また、４月５日には、行事スケジュールとして「会議」が入っているため、それに対応したコーディネート案Ｂ１、Ｂ２、Ｂ３、…、Ｂ４８のうちコーディネート案Ｂ５が抽出され、４月６日には、行事スケジュールとして「デート」が入っているため、それに対応したコーディネート案Ｅ１、Ｅ２、Ｅ３、…のうちコーディネート案Ｅ２が抽出される。さらに、４月７日には、行事スケジュールとして「買い物」が入っているため、それに対応したコーディネート案Ｆ１、Ｆ２、Ｆ３、…のうちコーディネート案Ｆ１が抽出される。
【００２７】
次に、中央演算処理装置６は、第１の対比工程に移行し、こうして並べられたコーディネート案について、任意の連続２日間において、コーディネート案の類比判断を行う（図２に示すコーディネート支援プログラム１０のステップＳ８）。
【００２８】
その結果、２つのコーディネート案が相互に類似すると判断された場合、中央演算処理装置６は、第１の並べ替え工程に移行し、これらのコーディネート案について、いずれか一方または双方をコーディネートデータベース１３内のコーディネート案と差し替えることにより、これらのコーディネート案が相互に類似しないように並べ替える（図２に示すコーディネート支援プログラム１０のステップＳ９）。
【００２９】
例えば、図４に示すように、４月３日と４月４日のコーディネート案Ｃ２、Ｃ３が相互に類似する場合、４月４日のコーディネート案Ｃ３を別のコーディネート案Ｃ４に変更する。そして、４月４日の新しいコーディネート案Ｃ４が、その前後の日程、つまり４月３日および４月５日のコーディネート案Ｃ２、Ｂ５に類似するか否かを判断する。その結果、コーディネート案Ｃ４がコーディネート案Ｃ２にもコーディネート案Ｂ５にも類似しないときは、ここで並べ替え動作が終了する。一方、コーディネート案Ｃ４がコーディネート案Ｃ２またはコーディネート案Ｂ５に類似するときは、４月４日のコーディネート案Ｃ４を別のコーディネート案Ｃ５に変更し、再び類比判断および変更動作を行う。以降同様にして、４月４日のコーディネート案が、その前後の日程、つまり４月３日および４月５日のコーディネート案Ｃ２、Ｂ５に類似しなくなるまで、類比判断および変更動作を継続する。
【００３０】
次に、中央演算処理装置６は、第２の対比工程に移行し、所定の期間（例えば、４月１日から７日までの１週間）内に同一の行事スケジュールが併存するとき、これらの行事スケジュールが連続していなくても、これらに対応して並べられた複数のコーディネート案を類比判断する（図２に示すコーディネート支援プログラム１０のステップＳ１０）。
【００３１】
その結果、２つのコーディネート案が相互に類似すると判断された場合、中央演算処理装置６は、第２の並べ替え工程に移行し、これらのコーディネート案について、いずれか一方または双方をコーディネートデータベース１３内のコーディネート案と差し替えることにより、これらのコーディネート案が相互に類似しないように並べ替える（図２に示すコーディネート支援プログラム１０のステップＳ１１）。
【００３２】
例えば、図４によると、４月２日と４月５日には、いずれも行事スケジュールとして「会議」が入っているため、両日のコーディネート案Ｂ１、Ｂ５が相互に類似する場合、４月５日のコーディネート案Ｂ５を別のコーディネート案Ｂ６に変更する。そして、４月５日の新しいコーディネート案Ｂ６が、４月２日のコーディネート案Ｂ１に類似するか否かを判断するとともに、４月５日の新しいコーディネート案Ｂ６が、その前後の日程、つまり４月４日および４月６日のコーディネート案Ｃ５、Ｅ２に類似するか否かを判断する。その結果、コーディネート案Ｂ６が、コーディネート案Ｂ１、Ｃ５、Ｅ２のいずれにも類似しないときは、ここで並べ替え動作が終了する。一方、コーディネート案Ｂ６が、コーディネート案Ｂ１、Ｃ５、Ｅ２のいずれか１つ以上に類似するときは、４月５日のコーディネート案Ｂ６を別のコーディネート案Ｂ７に変更し、再び類比判断および変更動作を行う。以降同様にして、４月４日のコーディネート案が、４月２日、４月３日および４月５日のコーディネート案Ｂ１、Ｃ２、Ｂ５に類似しなくなるまで、類比判断および変更動作を継続する。
【００３３】
なお、上述したとおり、毎回の検索の履歴はＩＤ番号つきで残っているため、検索する期間が変わった場合でも、同じコーディネート案が重ならないように並べ替えることができる。例えば、第１回目に４月１日から７日までの１週間を検索し、第２回目に４月８日から１５日までの１週間を検索した場合、仮に４月２日、５日、９日、１１日の４日間に行事スケジュールとして「会議」が入っていると、第１回目の検索期間内にある４月２日と４月５日とでコーディネート案が重ならず、第２回目の検索期間内にある４月９日と４月１１日とでコーディネート案が重ならないのは勿論のこと、検索期間を跨ぐ任意の２日間（例えば、４月４日と４月９日など）についてもコーディネート案の重なりを避けることができる。
【００３４】
最後に、中央演算処理装置６は、こうして並べ替えられたコーディネート案を表示するよう画像処理部９に指令する。これを受けて画像処理部９は、これらのコーディネート案を複数の日程に対応する形式で表示装置３に表示する（図２に示すコーディネート支援プログラム１０のステップＳ１２）。
ここで、コーディネート支援システム１による服飾コーディネートの支援動作が終了する。
【００３５】
このようにして、コーディネート支援システム１による服飾コーディネートの支援動作を実行させれば、利用者が複数個の服飾データを登録しておくと、これらの服飾データが組み合わされたコーディネート案が各種の行事スケジュールに適した形で登録されることから、行事スケジュールに適したコーディネート案が提示されるようにすることができる。また、連続２日間でコーディネート案が相互に類似するとき、それらのコーディネート案が相互に類似しないように並べ替えられることから、相互に類似するコーディネート案が２日以上にわたって並ぶ事態を回避することができる。さらに、所定の期間内に同一の行事スケジュールが併存するとき、これらの行事スケジュールに対応して並べられた複数のコーディネート案が相互に類似しないように並べ替えられることから、バラエティーに富んだコーディネートを楽しむことができる。
【００３６】
また、利用者が行事スケジュール間の優先順位を入力すれば、その優先順位に基づいてコーディネート案が並べ替えられるため、有益性の高いコーディネートを楽しむことができる。
【００３７】
なお、上述の実施形態においては、利用者が自分の服飾データを利用してコーディネート案を表示させる場合について説明したが、各利用者が他人（例えば、友人、親子、店舗、ショップなど）のコーディネート案を参照することにより、幅広い観点からコーディネートを楽しむこともできる。すなわち、図５に示すように、コーディネート支援プログラム１０や持ち服データベース１１、画像データベース１２、コーディネートデータベース１３を１つのサーバー１４に保管しておき、複数人（図５では、３人）の利用者が各自の端末１６を使ってインターネット４経由でサーバー１４にアクセスすれば、複数の利用者に係るコーディネート案を各利用者が閲覧できるようになる。このとき、サーバー１４および各端末１６における工程は、図６に示すとおりである。図２との違いは、各工程の動作主体がサーバー１４側になったり端末１６側になったりするだけであり、各工程の内容については変わらないので、ここではその説明を省略する。なお、この端末１６としては、携帯電話やＰＨＳ（簡易型携帯電話）のほか、通信機能を備えたノートパソコン、ＰＤＡ、ゲーム機などを用いることができる。端末１６として携帯電話を用いる場合、携帯電話のインターネット接続サービス（例えば、ｉモード（登録商標）など）を利用して、サーバー１４に容易にアクセスすることができる。このようにすれば、各利用者が他人（例えば、友人、親子、店舗、ショップなど）のコーディネート案を参照することが可能となるので、幅広い観点からコーディネートを楽しむことができる。このとき、各利用者が自分の体型を登録しておけば、自分と似た体型の他人のコーディネート案を参照することができる。さらに、ショップのデータベースを利用することにより、コーディネート案の作成時や並べ替え時に、ショップの服飾データを自分のコーディネート案に加えることもできる。或いはまた、友人のデータベースを利用することにより、コーディネート案の作成時や並べ替え時に、自分の服飾データと相手の服飾データと互いに入れ替えることも可能である。
【００３８】
また、上述の実施形態においては、利用者が所望する服飾属性条件を入力し、この服飾属性条件に基づいてコーディネート案を抽出する場合について説明したが、この部分は必要に応じて省くことも可能である。
【００３９】
また、上述の実施形態においては、利用者が服飾データを入力したが、このときテキストデータに併せて画像データを入力しても構わない。そうすれば、中央演算処理装置６は、画像データを画像データベース１２に登録し、コーディネート案の表示時にテキストデータとともに画像データを表示装置３に表示する。したがって、利用者は、この表示装置３上の画像データをも参照して服飾コーディネートを考えることができる。
【００４０】
また、上述の実施形態においては、服飾コーディネートを行う場合について説明したが、服飾コーディネート以外のコーディネート、例えば献立コーディネートを行う際に本発明を適用することも可能である。服飾コーディネートの場合、上述したとおり、アイテムデータは服飾データであり、アイテム属性条件は服飾属性条件であり、スケジュールは行事スケジュールである。これに対し、献立コーディネートの場合、アイテムデータは食材データであり、アイテム属性条件は食材属性条件（例えば、カロリー、ビタミン、水分、脂肪分、炭水化物、たんぱく質など）であり、スケジュールは献立スケジュール（例えば、和食、洋食、中華、エスニック料理など）である。そして、毎日の献立が連続２日間で同じにならないように、野菜、肉などの食材が均等になくなるように、野菜は同じ種類のものばかり使わないように、野菜カテゴリーの中でも違う種類を選び出すことができる。
【図面の簡単な説明】
【００４１】
【図１】本発明に係るコーディネート支援システムの一実施形態を示す概略構成図である。
【図２】本発明に係るコーディネート支援方法の一実施形態を示すフローチャートである。
【図３】各種のスケジュールに適した複数のコーディネート案を例示する模式図である。
【図４】コーディネート案の並べ替え手法を例示する模式図である。
【図５】本発明に係るコーディネート支援システムの組合せを例示する概略構成図である。
【図６】本発明に係るコーディネート支援方法の別の実施形態を示すフローチャートである。
【符号の説明】
【００４２】
１……コーディネート支援システム
２……記憶装置
３……表示装置
４……インターネット
５……入力手段
６……中央演算処理装置（データ受付手段、コーディネート登録手段、条件受付手段、スケジュール受付手段、コーディネート抽出手段、コーディネート配列手段、第１の対比手段、第１の並べ替え手段、第２の対比手段、第２の並べ替え手段）
７……読取り書込み記憶装置
９……画像処理部
１０……コーディネート支援プログラム
１１……持ち服データベース
１２……画像データベース
１３……コーディネートデータベース
１４……サーバー
１５……天気予報データベース
１６……端末
【図１】
2006012050.tif 000003
【図２】
2006012050.tif 000004
【図３】
2006012050.tif 000005
【図４】
2006012050.tif 000006
【図５】
2006012050.tif 000007
【図６】
2006012050.tif 000008